(57)【要約】  ２本の通信線を備える通信バスを通じてメッセージを送信するための、ＤＡＬＩ対応の通信デバイスが、前記２本の通信線の間に接続されるスイッチと、前記通信バスに論理的な通信レベルを与えるために前記スイッチを制御するよう構成されるコントローラと、前記スイッチと直列に接続され、前記スイッチを介して前記バスから流れる電気エネルギを蓄積するよう構成されるエネルギ蓄積デバイスと、前記エネルギ蓄積デバイスにわたる電圧が所定の電圧閾値を超えているときは、前記エネルギ蓄積デバイスをバイパスするよう構成されるバイパス回路とを有する。
2021533724.tif 000002
【特許請求の範囲】
【請求項１】
２本の通信線を備える通信バスを通じてメッセージを送信するための、ＤＡＬＩ対応の通信デバイスであって、
−  前記２本の通信線の間に接続されるスイッチと、
−  前記通信バスに論理的な通信レベルを与えるために前記スイッチを制御するよう構成されるコントローラと、
−  前記スイッチと直列に接続され、前記スイッチを介して前記バスから流れる電気エネルギを蓄積するよう構成されるエネルギ蓄積デバイスと、
−  前記エネルギ蓄積デバイスにわたる電圧が所定の電圧閾値を超えているときは、前記エネルギ蓄積デバイスをバイパスするよう構成されるバイパス回路とを有するＤＡＬＩ対応の通信デバイス。
【請求項２】
前記バイパス回路が、前記エネルギ蓄積デバイスにわたって並列に接続されるバイパススイッチを更に有し、前記コントローラが、前記エネルギ蓄積デバイスにわたる前記電圧が前記所定の電圧閾値を超えているときは前記バイパススイッチを作動させるよう構成される請求項１に記載のＤＡＬＩ対応の通信デバイス。
【請求項３】
前記所定の閾値が、０ボルトと６．５ボルトとの間、好ましくは、４．５ボルトと６．５ボルトとの間である請求項１乃至２のいずれか一項に記載のＤＡＬＩ対応の通信デバイス。 
【請求項４】
前記ＤＡＬＩ対応の通信デバイスが、電圧供給線と、前記電圧供給線に前記２本の通信線のうちの１本を接続するための整流器とを更に有する請求項１乃至３のいずれか一項に記載のＤＡＬＩ対応の通信デバイス。
【請求項５】
前記コントローラが、前記２本の通信線の間の前記スイッチを所定の時間の間閉じることにより、前記２本の通信線を通じたメッセージの送信を開始するよう構成される請求項１乃至４のいずれか一項に記載のＤＡＬＩ対応の通信デバイス。 
【請求項６】
前記ＤＡＬＩ対応の通信デバイスが、負荷に力を与えるように構成され、前記エネルギ蓄積デバイスに蓄積されるエネルギが、前記負荷に力を与えるために使用される請求項１乃至５のいずれか一項に記載のＤＡＬＩ対応の通信デバイス。
【請求項７】
ＤＡＬＩ対応の通信デバイスによって、２本の通信線を備える通信バスを通じてメッセージを送信する方法であって、前記デバイスが、前記２本の通信線の間に接続されるスイッチと、前記通信バスに論理的な通信レベルを与えるために前記スイッチを制御するよう構成されるコントローラと、前記スイッチと直列に接続され、前記スイッチを介して前記バスから流れる電気エネルギを蓄積するよう構成されるエネルギ蓄積デバイスと、前記エネルギ蓄積デバイスにわたる電圧が所定の電圧閾値を超えているときは、前記エネルギ蓄積デバイスをバイパスするよう構成されるバイパス回路とを有し、前記方法が、
−  前記コントローラによって、電気エネルギが前記バスから前記スイッチを介して前記エネルギ蓄積デバイスへ流れているように、前記通信バスに論理値のゼロを与えるステップと、
−  前記エネルギ蓄積デバイスにわたる電圧が所定の電圧閾値を超えているときは、前記バイパス回路によって、前記エネルギ蓄積デバイスをバイパスするステップとを有する方法。
【請求項８】
前記バイパス回路が、前記エネルギ蓄積デバイスにわたって並列に接続されるバイパススイッチを更に有し、前記バイパスするステップが、前記コントローラによって、前記エネルギ蓄積デバイスにわたる前記電圧が前記所定の電圧閾値を超えているときは、前記バイパススイッチを作動させるステップを有する請求項７に記載の方法。
【請求項９】
前記所定の閾値が、０ボルトと６．５ボルトとの間、好ましくは、４．５ボルトと６．５ボルトとの間である請求項７乃至８のいずれか一項に記載の方法。
【請求項１０】
前記ＤＡＬＩ対応の通信デバイスが、電圧供給線と、前記電圧供給線に前記２本の通信線のうちの１本を接続するための整流器とを更に有する請求項７乃至９のいずれか一項に記載の方法。
【請求項１１】
前記コントローラによって、前記２本の通信線の間の前記スイッチを所定の時間の間閉じることにより、前記２本の通信線を通じたメッセージの送信を開始するステップを更に有する請求項７乃至１０のいずれか一項に記載の方法。
【請求項１２】
前記方法が、前記ＤＡＬＩ対応の通信デバイスによって、前記デバイスに接続される負荷に力を与えるステップを有し、前記力を与えるステップが、前記エネルギ蓄積デバイスに蓄積されるエネルギを使用して前記負荷に力を与えるステップを有する請求項７乃至１１のいずれか一項に記載の方法。
【請求項１３】
コンピュータ可読媒体であって、前記コンピュータ可読媒体に記憶された命令であって、ＤＡＬＩ対応の通信デバイスによって実行されるときに、前記デバイスに請求項７乃至１２のいずれか一項に記載の方法を実施させる命令を有するコンピュータ可読媒体。
【発明の詳細な説明】
【技術分野】
【０００１】
本発明は、通信バスを通じてメッセージを送信するための、デジタルアドレス可能な照明インターフェース（ＤＡＬＩ）対応の通信デバイス、及び対応する方法に関する。
【背景技術】
【０００２】
デジタルアドレス可能な照明インターフェース（ＤＡＬＩ）は、照明の世界で世界的に受け入れられているインターフェースであって、ＤＡＬＩネットワークを形成する、ＤＡＬＩ照明ドライバ／ギア、即ち、ＤＡＬＩ制御ギアと、照明コントローラ、即ち、ＤＡＬＩ制御デバイスとの間の通信フローを制御するインターフェースである。最小のＤＡＬＩネットワークは、単一の制御デバイスを備える単一の制御ギアを有するが、複数の制御ギアに拡張されることもでき、複数の制御デバイスにさえ拡張されることもできる。
【０００３】
ＤＡＬＩメッセージによって、制御デバイスは、ＤＡＬＩネットワークに接続される、単一の、グループの、又は全ての制御ギアと、データ、即ち、ＤＡＬＩコマンド又はクエリを交換することができる。ＤＡＬＩネットワークの物理層は、外部の、又は内蔵の、即ち、ＤＡＬＩ：制御ギア若しくは制御デバイスに組み込まれた、最大電圧２２．５Ｖ、最大電流２５０ｍＡの電源によって給電される極性依存２線式接続として構築される。
【０００４】
ＤＡＬＩメッセージは、バイフェーズ符号化デジタル（bi phase encoded digital）、即ち、ＤＡＬＩ：１又は０レベルのストリームである。ＤＡＬＩ論理「１」は、９．５Ｖより高く、２２．５Ｖ未満のＤＡＬＩバス電圧として定義されている一方で、ＤＡＬＩ論理「０」は、−６．５Ｖより高く、６．５Ｖ未満のＤＡＬＩバス電圧として定義されている。６．５Ｖと９．５Ｖとの間のＤＡＬＩバス電圧範囲は未定義である。ＤＡＬＩネットワークをセットアップするための最小ＤＡＬＩ電流は８ｍＡに設定されている。
【０００５】
例えば複数のＤＡＬＩ制御ギアを含むＤＡＬＩネットワークにおいては、各制御ギアは主電源への独自の接続を持つ。ＤＡＬＩネットワーク上で「イニシエータ／マスタ」の役割を果たすＤＡＬＩ制御デバイスも、電源を必要とし、それ故、最小電流８ｍＡ、最大電流２５０ｍＡの絶縁ＤＡＬＩバス電源の役割も果たすそれ自身の電源によって主電源に接続される。
【０００６】
ＤＡＬＩ制御ギアは、例えばＬＥＤ照明のためのエネルギを生成する必要もあることから、ＤＡＬＩ制御ギアのための主電源接続は論理的なものである。他方で、ＤＡＬＩ制御デバイスは、センサ、インジケータ、インテリジェンス及び他の非常に低電力のデバイスを備えているかもしれないが、この電力は、高価で、大きく、主電源への接続を必要とする主電源から生成される必要がある。
【０００７】
この理由ために、ＤＡＬＩ−ＳＲ制御ギアが開発された。この制御ギアは内蔵ＤＡＬＩ電力バスを備えているので、例えば１ＷでＤＡＬＩネットワークに電力を給電する。利用可能なＤＡＬＩバスにおいて許容される最大ＤＡＬＩ電力は、物理的なＤＡＬＩの制限によって５．６２５Ｗとされている。従って、ＤＡＬＩ制御デバイスはそのエネルギをＤＡＬＩバスから得る。残念ながら、ＤＡＬＩメッセージの間、ＤＡＬＩバスは短絡され、利用可能な電力がない。ＤＡＬＩメッセージはバイフェーズのビットから構成されることから、ＤＡＬＩメッセージの間、 ＤＡＬＩバスが短絡されている時間は、５０％であるＤＡＬＩメッセージの間、利用可能である最大電力は、約２．８Ｗに低減される。
【０００８】
ＤＡＬＩタイミング規制は、セトリングタイム（settling time）により、それを良くし、非バイフェーズ「停止」ビットは、これを６０％に近い値に戻す。つまり、エネルギの約４０％が失われることになる。更に多くの電力が必要とされる場合は、追加ＤＣバス電圧が印加されなければならず、１つ又は２つの追加ワイヤ／コネクタピンにつながる。
【０００９】
他方で、制御デバイスは、ＤＡＬＩバスが短絡されている時間を乗り切るのに十分なエネルギを蓄積するためにローカルな蓄積デバイスを必要とし得る。この短絡時間は、バイフェーズ符号化により、ＤＡＬＩボーレート時間の２倍、即ち、ＤＡＬＩ：１２００ｂａｕｄのボーレートにおいては８３４ｕｓに達し得る。
【発明の概要】
【発明が解決しようとする課題】
【００１０】
電力効率の良いデジタルアドレス可能な照明インターフェース（ＤＡＬＩ）対応の通信デバイス、即ち、ＤＡＬＩ制御デバイスを達成することは、有利であるだろう。
【００１１】
電力使用量が改善されるようにＤＡＬＩ制御デバイスのようなＤＡＬＩ対応通信デバイスを動作させるための方法を達成することは、更に有利であるだろう。
【課題を解決するための手段】
【００１２】
これらの課題のうちの１つ以上により良く対処するために、本開示の第１態様においては、２本の通信線を備える通信バスを通じてメッセージを送信するためのデジタルアドレス可能な照明インターフェース（ＤＡＬＩ）対応の通信デバイスが提示されている。
【００１３】
前記デバイスは、
−  前記２本の通信線の間に接続されるスイッチと、
−  前記通信バスに論理的な通信レベル（logical communication level）を与える（impose）ために前記スイッチを制御するよう構成されるコントローラと、
−  前記スイッチと直列に接続され、前記スイッチを介して前記バスから流れる電気エネルギを蓄積するよう構成されるエネルギ蓄積デバイスと、
−  前記エネルギ蓄積デバイスにわたる電圧が所定の電圧閾値を超えているときは、前記エネルギ蓄積デバイスをバイパスするよう構成されるバイパス回路とを有する。
【００１４】
前記通信バスは、前記バス通じて論理値のゼロを伝えるために完全には短絡される必要はないことが、本発明者らの洞察の１つであった。ＤＡＬＩ仕様は、「１」及び「０」のメッセージのようなバイフェーズ符号化デジタルメッセージのストリームを伝えるための特定のレベルを設定している。上述のように、ＤＡＬＩ論理「１」は、９．５Ｖより高く、２２．５Ｖ未満のＤＡＬＩバス電圧として定義されている一方で、ＤＡＬＩ論理「０」は、−６．５Ｖより高く、６．５Ｖ未満のＤＡＬＩバス電圧として定義されている。
【００１５】
以上のことから、前記バスにおける前記電圧が６．５ボルトに近づくときはＤＡＬＩ論理「０」も検出されるので、通信を完全には短絡させる必要はないことが分かった。
【００１６】
それ故に、短絡電流が完全には失われないように所定の電圧閾値までエネルギ蓄積デバイスを充電することが見出された。その場合、前記短絡電流は、前記エネルギ蓄積デバイスにわたる前記電圧が前記所定の閾値電圧に達するまで、前記エネルギ蓄積デバイスに蓄積され得る。その電圧に達すると、前記エネルギ蓄積デバイスをバイパスするための前記バイパス回路が作動される。
【００１７】
本開示の利点の１つは、エネルギが浪費されないことである。即ち、前記ＤＡＬＩ対応の通信デバイスは、前記通信バスを介して利用可能なエネルギに取り組む方法において、より効率的である。
【００１８】
或る例においては、前記バイパス回路は、前記エネルギ蓄積デバイスにわたって並列に接続されるバイパススイッチを更に有し、前記コントローラは、前記エネルギ蓄積デバイスにわたる前記電圧が前記所定の電圧閾値を超えているときは前記バイパススイッチを作動させるよう構成される。
【００１９】
好ましくは、前記バイパス回路は、バイパス経路を作成するための、電界効果トランジスタ（ＦＥＴ）スイッチなどのバイパススイッチを有する。前記エネルギ蓄積デバイスは、前記バイパス回路が作動するときはいつでも、前記エネルギ蓄積デバイスに蓄積された電気エネルギが同様に前記バイパス回路を介して漏れることがないように、整流器と直列に接続され得ることに留意されたい。即ち、前記エネルギ蓄積デバイス内の前記電気エネルギは、前記バイパス回路を介する同じ経路をたどってはならない。
【００２０】
或る例においては、前記所定の閾値は、０ボルトと６．５ボルトとの間、好ましくは、４．５ボルトと６．５ボルトとの間である。
【００２１】
上述のように、ＤＡＬＩは、前記バス電圧が−６．５ボルトと６．５Ｖとの間にあるときはいつでも、論理値のゼロを検出するだろう。それ故に、前記所定の閾値を、６．５ボルトの近くに設定することが好ましい。前記電圧が確実に６．５ボルトを超えないようにするよう安全マージンが維持されてもよい。
【００２２】
他の例においては、前記ＤＡＬＩ対応の通信デバイスは、電圧供給線と、前記電圧供給線に前記２本の通信線のうちの１本を接続するための整流器とを更に有する。
【００２３】
前記整流器は、例えば、ダイオードである。前記ダイオードは、前記電圧供給線から前記通信線へ戻るよう流れる電流を遮断するよう構成される。しかしながら、電力は、前記通信線から前記ダイオードを介して前記電圧供給線へ流れることができる。
【００２４】
別の例においては、前記コントローラは、前記２本の通信線の間の前記スイッチを所定の時間の間閉じることにより、前記２本の通信線を通じたメッセージの送信を開始するよう構成される。
【００２５】
ＤＡＬＩ仕様は、通信線を通じて送信されるメッセージは、特定の量の時間、即ち、所定の時間の間の通信線の短絡から始まると定義している。前記特定の量の時間は、例えば、数秒、数マイクロ秒又は同様のものである。
【００２６】
他の例においては、前記ＤＡＬＩ対応の通信デバイスは、負荷に力を与えるように構成され、前記エネルギ蓄積デバイスに蓄積されるエネルギが、前記負荷に力を与えるために使用される。
【００２７】
この例の利点は、前記エネルギ蓄積デバイスに蓄積される前記エネルギが有効に使用され得ることである。前記エネルギは浪費されない。
【００２８】
第２態様においては、デジタルアドレス可能な照明インターフェース（ＤＡＬＩ）対応の通信デバイスによって、２本の通信線を備える通信バスを通じてメッセージを送信する方法であって、前記デバイスが、前記２本の通信線の間に接続されるスイッチと、前記通信バスに論理的な通信レベルを与えるために前記スイッチを制御するよう構成されるコントローラと、前記スイッチと直列に接続され、前記スイッチを介して前記バスから流れる電気エネルギを蓄積するよう構成されるエネルギ蓄積デバイスと、前記エネルギ蓄積デバイスにわたる電圧が所定の電圧閾値を超えているときは、前記エネルギ蓄積デバイスをバイパスするよう構成されるバイパス回路とを有する方法が提供される。
【００２９】
前記方法は、
−  前記コントローラによって、電気エネルギが前記バスから前記スイッチを介して前記エネルギ蓄積デバイスへ流れているように、前記通信バスに論理値のゼロを与えるステップと、
−  前記エネルギ蓄積デバイスにわたる電圧が所定の電圧閾値を超えているときは、前記バイパス回路によって、前記エネルギ蓄積デバイスをバイパスするステップとを有する。
【００３０】
本発明の第１態様の実施形態に関して開示されているような利点及び定義は、ＤＡＬＩ対応の通信デバイスによってメッセージを送信する方法である本発明の第２態様の実施形態にも対応することに留意されたい。
【００３１】
本開示によれば、前記コントローラは、フィールドプログラマブルゲートアレイ、マイクロプロセッサ又は同様のものであってもよい。前記コントローラは、アナログ電子機器／構成要素を使用して実施されてもよい。
【００３２】
他の例においては、前記バイパス回路は、前記エネルギ蓄積デバイスにわたって並列に接続されるバイパススイッチを更に有し、前記バイパスするステップは、前記コントローラによって、前記エネルギ蓄積デバイスにわたる前記電圧が前記所定の電圧閾値を超えているときは、前記バイパススイッチを作動させるステップを有する。
【００３３】
別の例においては、前記所定の閾値は、０ボルトと６．５ボルトとの間、好ましくは、４．５ボルトと６．５ボルトとの間である。
【００３４】
更に別の例においては、前記ＤＡＬＩ対応の通信デバイスは、電圧供給線と、前記電圧供給線に前記２本の通信線のうちの１本を接続するための整流器とを更に有する。
【００３５】
別の例においては、前記方法は、前記コントローラによって、前記２本の通信線の間の前記スイッチを所定の時間の間閉じることにより、前記２本の通信線を通じたメッセージの送信を開始するステップを更に有する。
【００３６】
或る例においては、前記方法は、前記ＤＡＬＩ対応の通信デバイスによって、前記デバイスに接続される負荷に力を与えるステップを有し、前記力を与えるステップは、前記エネルギ蓄積デバイスに蓄積されるエネルギを使用して前記負荷に力を与えるステップを有する。
【００３７】
前記方法は、マイクロプロセッサ又はマイクロコントローラなどの、適切にプログラムされたプロセッサ又はプログラマブルコントローラによって効果的に実施され得る。
【００３８】
第３態様においては、コンピュータ可読媒体であって、前記コンピュータ可読媒体に記憶された命令であって、デジタルアドレス可能な照明インターフェース（ＤＡＬＩ）対応の通信デバイスによって実行されるときに、前記デバイスに、上で提供されているような例のいずれかによる方法を実施させる命令を有するコンピュータ可読媒体が提供される。
【００３９】
本発明の第１及び第２態様の実施形態に関して開示されているような利点及び定義は、コンピュータ可読媒体である本発明の第３態様にも対応することに留意されたい。
【００４０】
下記の実施形態を参照して、本発明のこれら及び他の態様を説明し、明らかにする。
【図面の簡単な説明】
【００４１】
【図１】ＤＡＬＩ制御ギア及びＤＡＬＩ制御デバイスから成るＤＡＬＩネットワークを開示する。
【図２】本開示による制御デバイス３の実施形態の一部の例を示す。
【図３】ＤＡＬＩメッセージが経時的に送信されるチャートの例を示す。
【図４】ＤＡＬＩメッセージが経時的に送信されるチャートの例を示す。
【発明を実施するための形態】
【００４２】
図１は、２線式バス２を介して互いに接続されるＤＡＬＩ制御ギア１及びＤＡＬＩ制御デバイス３から成るデジタルアドレス可能な照明インターフェース（ＤＡＬＩ）ネットワークを開示している。
【００４３】
内蔵電源を備えるＤＡＬＩ制御ギア１が、ＤＡＬＩバス２の電圧を、ＤＡＬＩ制御デバイス３に供給する。ＤＡＬＩ制御デバイス３は、ＤＡＬＩ-ＳＲ制御ギアが応答し得るＤＡＬＩメッセージを生成する。ＤＡＬＩメッセージのほとんどは、応答が必要とされないようなコマンドである。
【００４４】
ＤＡＬＩ制御デバイス３は、典型的には、所定の時間の間ＤＡＬＩバス２を短絡することによって、ＤＡＬＩメッセージを開始する。本開示は、前記ＤＡＬＩバスが完全には短絡される必要はないという概念に沿っており、これは以下でより詳細に説明する。
【００４５】
制御デバイス３は、本開示によれば、ＤＡＬＩ制御ギア１はＤＡＬＩバスが短絡されているかのように知覚するが、実際には、バス２上の電圧はゼロまで低下しないように、バス２における電圧を制御するよう構成される。バス２上の電圧は、所定の電圧閾値、例えば６．５ボルトまで低下するだろう。
【００４６】
ＤＡＬＩ規格によれば、６．５ボルト未満のバス電圧は、論理値の「０」、即ち、バス２の短絡とみなされるだろう。
【００４７】
ＤＡＬＩの短絡の代わりに、短絡電流がコンデンサに蓄積され得る。このコンデンサが所定の電圧閾値まで充電されるとき、バイパススイッチが、残りのＤＡＬＩ短絡電流を流す（flush）よう作動され得る。コンデンサ蓄積電圧が低下する場合、制御デバイス３が新たなＤＡＬＩ転送メッセージを開始するときに流れる次のＤＡＬＩ短絡電流でコンデンサが再充電され得る。
【００４８】
以上について、図２を参照して更に詳細に説明する。図２は、本開示による制御デバイス３の実施形態の一部の例を示している。
【００４９】
デジタルアドレス可能な照明インターフェース（ＤＡＬＩ）対応の通信デバイスは、２本の通信線であって、前記２本の通信線のうちの一方だけが参照符号８で参照されている２本の通信線を備える通信バス８を通じてメッセージを送信するよう構成される。他方の通信線は、図の底部にある戻り線である。
【００５０】
ＤＡＬＩ制御装置３は、２本の通信線、即ち、バス８の間に接続されるスイッチ４を有する。ＤＡＬＩ制御デバイス３は、前記通信バスに論理的な通信レベルを与えるために前記スイッチ４を制御するよう構成されるコントローラ９を更に有する。
【００５１】
前記スイッチと直列に接続され、前記スイッチ４を介して前記バス８から流れる電気エネルギを蓄積するよう構成されるエネルギ蓄積デバイス６、例えば、コンデンサが設けられる。
【００５２】
従って、バス８間の電圧は、コンデンサ６にわたる電圧によって制御される。コンデンサ６にわたる電圧は、スイッチ４が閉じられているときはバスにおける電圧に等しい。
【００５３】
本開示は、前記エネルギ蓄積デバイスにわたる電圧が、所定の電圧閾値、例えば、６ボルト又は６．５ボルトを超えているときは、前記エネルギ蓄積デバイス６をバイパスするよう構成されるバイパス回路７を対象にしている。
【００５４】
バイパス回路７が作動されているときにコンデンサ６が放電（drain）されないことを確実にするようコンデンサ６と直列にツェナーダイオード５が配置される。
【００５５】
更に、制御デバイス３は、示されていないあらゆる種類の電子機器を含み得る。電子機器は、参照番号３を有するツェナーダイオードの後ろに配置される。その場合、残りの電子機器の供給電圧１０は、供給電圧１０によって供給される。
【００５６】
図３は、ＤＡＬＩメッセージ３１が経時的に送信されるチャートの例を示している。
【００５７】
参照符号３１で示されているような上のチャートは、６個のＤＡＬＩメッセージが送信されていることを示している。上述のように、典型的には、各ＤＡＬＩメッセージは、特定の量の時間の間バスを短絡させることによって、開始される。各ＤＡＬＩメッセージは、特定の順序にある複数の論理値の「０」及び論理値の「１」から成る。論理値の「０」は、「１」及び「０」のバイフェーズから作成され、論理値の「１」は、「０」及び「１」のバイフェーズから作成される。「０」は、バスを短絡させることによって作成され、「１」は、バス電圧を全く修正しないことによって作成される。
【００５８】
参照符号３２によって示されているような中央のチャートは、ＤＡＬＩ制御デバイスの供給電圧線における電圧のようである。これは、図２において参照符号１０で示されている電圧である。
【００５９】
ＤＡＬＩ制御デバイス３とＤＡＬＩ制御ギア１との間の通信中は、バスが、通信目的のために、能動的に制御される、即ち、短絡されるので、制御デバイス３がバスから電気エネルギを取り出すことはより困難である。
【００６０】
これは、電圧が初期電圧の約半分まで低下するからであり、中央のチャートにおいても暗示的に示されている。ＤＡＬＩ制御デバイス３は、バスから所望の電気エネルギを十分に取り出すことができず、故に、供給電圧は低下し始める。利用可能なエネルギが枯渇する。典型的には、制御デバイスは、バスから通常の通信のために十分なエネルギを取り出すことはできることに留意されたい。本開示は、ＤＡＬＩ対応の通信デバイスがセンサ又はアクチュエータに力を与える必要がある状況に特に適している。
【００６１】
参照符号３３で示されているような下のチャートは、現在使用されているＤＡＬＩ制御デバイス３の給電方法によって引き出される電流の不足を示している。示されているように、第３、第４、第５及び第６メッセージの通信中、ＤＡＬＩ制御デバイス３が正常に機能するのに十分なエネルギが残されていない。これは、ＤＡＬＩ制御デバイス３が自らを再起動する原因になり得る。
【００６２】
上述のように、本開示は、バスが完全には短絡されない解決策を提供する。バス電圧は、エネルギが完全には失われないように特定の所定の電圧閾値に制御され得る。実際には、コンデンサに蓄積されるエネルギは、ＤＡＬＩ制御デバイス３に力を与えるために使用され得る。
【００６３】
上記の原理は図４において示されている。参照符号３４によって示されているような上の線は、ＤＡＬＩ制御デバイス３の供給電圧線における減衰を示している。このチャート３４は、参考符号３２で示されているようなグラフと比較することができる。ここでは、バスを通じた通信の過程において、電圧がほぼ安定していることが分かる。参照符号３５で示されているように電流の不足はない。
【００６４】
上記の本発明は、ＤＡＬＩバス自体によって給電されるあらゆるＤＡＬＩ制御デバイスにおいて使用され得る。利用可能な電力の利得は、ＤＡＬＩ制御デバイスにおけるＤＡＬＩバス入力電圧が１２Ｖの場合には、２５％も増加され得る。
【００６５】
本開示において記載されている本発明は、ＤＡＬＩ制御ギア、即ち、ドライババラストにおいても使用され得る。ＤＡＬＩ制御ギアは、メッセージを伝えるためにバスを「０」ボルトに短絡させる必要はない。DALI制御ギアが、バス電圧を、所定の電圧閾値、例えば、６．５ボルトまで低下させることによって、「０」を作成する場合、それは有益である。このようなやり方においては、システムの効率が向上される。
【００６６】
当業者は、請求項記載の発明の実施において、図面、明細及び添付の特許請求の範囲の研究から、開示されている実施形態に対する他の変形を、理解し、達成することができる。特許請求の範囲において、「有する」という単語は、他の要素又はステップを除外せず、単数形表記は、複数性を除外しない。単一のプロセッサ又は他のユニットが、特許請求の範囲において挙げられている複数のアイテムの機能を果たしてもよい。単に、或る特定の手段が、相互に異なる従属請求項において挙げられているという事実は、これらの手段の組み合わせは有利になるようには使用されることができないことを示すものではない。コンピュータプログラムは、他のハードウェアと一緒に又は他のハードウェアの一部として供給される光学式記憶媒体又は固体媒体のような適切な媒体上に記憶／分散されてもよいが、インターネット又は他の有線若しくは無線電気通信システムを介するような他の形態で分散されてもよい。特許請求の範囲における如何なる参照符号も、特許請求の範囲を限定するものとして解釈されるべきではない。
【図１】
2021533724.tif 000003
【図２】
2021533724.tif 000004
【図３】
2021533724.tif 000005
【図４】
2021533724.tif 000006
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
２本の通信線を備える通信バスを通じてメッセージを送信するための、ＤＡＬＩ対応の通信デバイスであって、
−  前記２本の通信線の間に接続されるスイッチと、
−  前記通信バスに論理的な通信レベルを与えるために前記スイッチを制御するよう構成されるコントローラと、
−  前記スイッチと直列に接続され、前記スイッチを介して前記バスから流れる電気エネルギを蓄積するよう構成されるエネルギ蓄積デバイスと、
−  前記エネルギ蓄積デバイスにわたる電圧が所定の電圧閾値を超えているときは、前記エネルギ蓄積デバイスをバイパスするよう構成されるバイパス回路とを有するＤＡＬＩ対応の通信デバイス。
【請求項２】
前記バイパス回路が、前記エネルギ蓄積デバイスにわたって並列に接続されるバイパススイッチを更に有し、前記コントローラが、前記エネルギ蓄積デバイスにわたる前記電圧が前記所定の電圧閾値を超えているときは前記バイパススイッチを作動させるよう構成される請求項１に記載のＤＡＬＩ対応の通信デバイス。
【請求項３】
前記所定の閾値が、０ボルトと６．５ボルトとの間、好ましくは、４．５ボルトと６．５ボルトとの間である請求項１乃至２のいずれか一項に記載のＤＡＬＩ対応の通信デバイス。 
【請求項４】
前記ＤＡＬＩ対応の通信デバイスが、電圧供給線と、前記電圧供給線に前記２本の通信線のうちの１本を接続するための整流器とを更に有する請求項１乃至３のいずれか一項に記載のＤＡＬＩ対応の通信デバイス。
【請求項５】
前記コントローラが、前記２本の通信線の間の前記スイッチを所定の時間の間閉じることにより、前記２本の通信線を通じたメッセージの送信を開始するよう構成される請求項１乃至４のいずれか一項に記載のＤＡＬＩ対応の通信デバイス。 
【請求項６】
前記ＤＡＬＩ対応の通信デバイスが、負荷に給電するように構成され、前記エネルギ蓄積デバイスに蓄積されるエネルギが、前記負荷に給電するために使用される請求項１乃至５のいずれか一項に記載のＤＡＬＩ対応の通信デバイス。
【請求項７】
ＤＡＬＩ対応の通信デバイスによって、２本の通信線を備える通信バスを通じてメッセージを送信する方法であって、前記デバイスが、前記２本の通信線の間に接続されるスイッチと、前記通信バスに論理的な通信レベルを与えるために前記スイッチを制御するよう構成されるコントローラと、前記スイッチと直列に接続され、前記スイッチを介して前記バスから流れる電気エネルギを蓄積するよう構成されるエネルギ蓄積デバイスと、前記エネルギ蓄積デバイスにわたる電圧が所定の電圧閾値を超えているときは、前記エネルギ蓄積デバイスをバイパスするよう構成されるバイパス回路とを有し、前記方法が、
−  前記コントローラによって、電気エネルギが前記バスから前記スイッチを介して前記エネルギ蓄積デバイスへ流れているように、前記通信バスに論理値のゼロを与えるステップと、
−  前記エネルギ蓄積デバイスにわたる電圧が所定の電圧閾値を超えているときは、前記バイパス回路によって、前記エネルギ蓄積デバイスをバイパスするステップとを有する方法。
【請求項８】
前記バイパス回路が、前記エネルギ蓄積デバイスにわたって並列に接続されるバイパススイッチを更に有し、前記バイパスするステップが、前記コントローラによって、前記エネルギ蓄積デバイスにわたる前記電圧が前記所定の電圧閾値を超えているときは、前記バイパススイッチを作動させるステップを有する請求項７に記載の方法。
【請求項９】
前記所定の閾値が、０ボルトと６．５ボルトとの間、好ましくは、４．５ボルトと６．５ボルトとの間である請求項７乃至８のいずれか一項に記載の方法。
【請求項１０】
前記ＤＡＬＩ対応の通信デバイスが、電圧供給線と、前記電圧供給線に前記２本の通信線のうちの１本を接続するための整流器とを更に有する請求項７乃至９のいずれか一項に記載の方法。
【請求項１１】
前記コントローラによって、前記２本の通信線の間の前記スイッチを所定の時間の間閉じることにより、前記２本の通信線を通じたメッセージの送信を開始するステップを更に有する請求項７乃至１０のいずれか一項に記載の方法。
【請求項１２】
前記方法が、前記ＤＡＬＩ対応の通信デバイスによって、前記デバイスに接続される負荷に給電するステップを有し、前記給電するステップが、前記エネルギ蓄積デバイスに蓄積されるエネルギを使用して前記負荷に給電するステップを有する請求項７乃至１１のいずれか一項に記載の方法。
【請求項１３】
コンピュータ可読媒体であって、前記コンピュータ可読媒体に記憶された命令であって、ＤＡＬＩ対応の通信デバイスによって実行されるときに、前記デバイスに請求項７乃至１２のいずれか一項に記載の方法を実施させる命令を有するコンピュータ可読媒体。
【国際調査報告】
2021533724.tif 000007
2021533724.tif 000008